(57)【特許請求の範囲】
【請求項１】
割栗石を敷設した地盤に間隔をあけて複数の鉄筋コンクリート製又は鉄骨コンクリート製の基礎杭が打設され、それぞれの基礎杭の上部には水平状に交差する貫通孔が形成され、該貫通孔に主筋を挿通することによって、それぞれの基礎杭を主筋で連結すると共に、該主筋に間隔をあけて配した複数の補助筋を結合して、前記割栗石上にて前記基礎杭と主筋と補助筋とを一体化するようにコンクリートを打設して硬化させたことを特徴とする建造物の基礎。
【請求項２】
地盤の周囲に目的形状を規定する枠板を設け、該枠板内の地盤に割栗石を敷設し、該枠板内の地盤の複数箇所に鉄筋コンクリート製又は鉄骨コンクリート製の基礎杭を打ち込んだ後、該基礎杭の上部に形成された水平状に交差する貫通孔に主筋を挿通すると共に、それぞれの主筋に間隔をあけて配された複数の補助筋を結合した状態で、前記枠板内にコンクリートを打設することにより、前記地盤の割栗石の上部に前記基礎杭と前記主筋と前記補助筋とを一体化して、前記コンクリートの硬化後に前記枠板を除去することを特徴とする建造物の基礎の施工方法。
【発明の詳細な説明】
【技術分野】
【０００１】
本発明は、耐震性能に優れると共に地盤変動に強い簡易な建造物の基礎及びその施工方法に関するものである。
【背景技術】
【０００２】
基礎構造の一つとして知られるべた基礎は、地盤に敷き詰められた割栗石を付き固めた後、コンクリートを打設し、鉄筋を埋め込むことによって不足した地耐力を補強するようにした基礎構造である。このようなべた基礎は、一般住宅の基礎として広く知られるところである。また、他の基礎構造として、地盤に複数の基礎杭を打設し、これらの基礎杭を互いに連結するようにした基礎構造を構築することが行われている。
【０００３】
そのような基礎杭を利用した従来例として、特許文献１について説明すると、この発明の構造は、図６に示すように、杭であるＲＣ杭２１の頭部と上部構造物の基礎部材であるＲＣ基礎スラブ２２とを低降伏点材料からなる鉄筋２３を介して接合してなるものである。
【特許文献１】特開２００２−９７６５０号公報（第１、２頁、図１）
【発明の開示】
【発明が解決しようとする課題】
【０００４】
ところが、上記の基礎構造においては、ＲＣ杭２１に設けられた鉄筋２３が垂直に延びた状態でＲＣ基礎スラブ２２に埋め込まれた構造を有するため、地震時の水平力又は垂直力に対して、ＲＣ杭２１側の鉄筋２３がＲＣ基礎スラブ２２から抜け易いという欠点を有する。
【０００５】
ところで、墓石のように集中荷重が作用するような建造物の基礎を構築するには、十分な地耐力を必要とするが、地盤を十分に構築しない状態で墓石を建造することが多々あり、地震等による地盤変動や墓石自体の重量によって、墓石が傾いたりするという事態が生じている。
【０００６】
また、墓石の場合、比較的軟質の土壌に構築する場合が多く、また墓地に区画した地盤面積は一般に狭く、コストをなるべく安価にするため、大規模な基礎構築を施工しない状態で墓石を構築するのが現状である。
【０００７】
従って、墓地の基礎としては、安価であって短期間で施工でき、しかも地盤が脆弱であっても、地震等による地盤変動に強く、水平力或い垂直力を十分に確保し得る構造が必要となる。
【０００８】
本発明は、上記の事情に鑑みてなされたもので、墓石の基礎のように集中荷重がかかるような基礎、さらには住宅等の一般建築の基礎にも適するように、水平力或いは垂直力に対する耐力を十分に確保した基礎であって、短期間で安価且つ簡単に構築することができる建造物の基礎及びその施工方法を提供することを目的とする。
【課題を解決するための手段】
【０００９】
上記の目的を達成するために、本発明の請求項１は、割栗石を敷設した地盤に間隔をあけて複数の鉄筋コンクリート製又は鉄骨コンクリート製の基礎杭が打設され、それぞれの基礎杭の上部には水平状に交差する貫通孔が形成され、該貫通孔に主筋を挿通することによって、それぞれの基礎杭を主筋で連結すると共に、該主筋に間隔をあけて配した複数の補助筋を結合して、前記割栗石上にて前記基礎杭と主筋と補助筋とを一体化するようにコンクリートを打設して硬化させたことを特徴とする。
【００１０】
また、本発明の請求項２は、地盤の周囲に目的形状を規定する枠板を設け、該枠板内の地盤に割栗石を敷設し、該枠板内の地盤の複数箇所に鉄筋コンクリート製又は鉄骨コンクリート製の基礎杭を打ち込んだ後、該基礎杭の上部に形成された水平状に交差する貫通孔に主筋を挿通すると共に、それぞれの主筋に間隔をあけて配された複数の補助筋を結合した状態で、前記枠板内にコンクリートを打設することにより、前記地盤の割栗石の上部に前記基礎杭と前記主筋と前記補助筋とを一体化して、前記コンクリートの硬化後に前記枠板を除去することを特徴とする。
【発明の効果】
【００１３】
本発明は、地盤に打ち込まれた基礎杭の上部の貫通孔に挿通された主筋によって、各基礎杭が連結された状態にあり、また主筋には間隔をあけて補助筋が結合され、これらの基礎杭と主筋と補助筋との結合が、地盤に敷設された割栗石の上にコンクリートで固められた状態で一体化されたものである。
【００１４】
従って、それぞれの基礎杭は地盤に固定されると同時に、互いの基礎杭が主筋と補助筋とによる鉄筋によって連結され、しかもこれらの連結状態がコンクリートによって一体的に固定された構造となるため、地震や建造物の自重による水平力、集中荷重、或いは地盤沈下等が生じた時でも、互いの基礎杭が引っ張り合って強度を補い合うことにより、それらの水平力或い垂直力に対する耐力を十分に確保することが可能となる。
【００１５】
また、本発明による施工方法は、地盤の周囲に枠板を設けること、該枠板内の地盤に割栗石を敷設すること、該枠板内の地盤の複数箇所に基礎杭を打ち込むこと、該基礎杭の貫通孔に主筋を挿通すると共にそれぞれの主筋に複数の補助筋を結合すること、及び枠板内にコンクリートを打設することを順次行うことによって簡易に施工することができるため、短期間で安価に構築することが可能となる。
【００１６】
また、基礎の周囲に枠板を利用してコンクリートを打設するようにしてあるため、枠板の高さを基準としてコンクリートの打設高さを決めることができ、また枠板の高さを基準としてコンクリート面の均し作業を容易に行うことが可能となる。
【発明を実施するための最良の形態】
【００１７】
以下、本発明の実施例について図面を参照しながら説明する。
【実施例１】
【００１８】
本発明による建造物の基礎１は、図１に示すように、割栗石２を敷設した地盤３に間隔をあけて複数の基礎杭５、５…を打設し、それぞれの基礎杭５の上部に水平状に交差する貫通孔６が形成され、該貫通孔６に主筋７を挿通することによって、それぞれの基礎杭５を主筋７で連結すると共に、該主筋７に間隔をあけて配した複数の補助筋８、８…を結合して、割栗石２上にて基礎杭５と主筋７と補助筋８とを一体化するようにコンクリート９を打設して硬化させたものである。なお、図１は、施工途中の状況であり、コンクリート９は枠板４の上面に沿った高さに打設される。
【００１９】
このような構成において、本実施例は、墓石等の基礎として最適するように、四角形の平面形状を有する基礎１として適用したものである。この場合、地盤３に所定面積で割栗石２を設けると共に、目的形状を規定するための枠板４を設ける。即ち、図１に示すように長形の枠板４を組み合わせて、四角形の平面形状を有する枠形状とし、この枠板４、４…内の地盤３における四方に基礎杭５、５…を打設する。
【００２０】
それぞれの基礎杭５には、その上部に水平状に交差する貫通孔６、６が形成されている。このような貫通孔６、６の交差状況は、鉄筋の配設状況にもよるが、後述する主筋７と補助筋８を互いに直交させる場合、貫通孔６、６が十字状に交差するように形成するとよい。なお、基礎杭５は、土中の腐食防止を考慮すると、内部に鉄筋を配して補強した鉄筋コンクリート製、または内部に鉄骨を埋め込んだ鉄骨コンクリート製とするのが望ましい。
【００２１】
このような基礎杭５の上部に設けられた貫通孔６に、図５に示すように、主筋７を挿通することによって、それぞれの基礎杭５を主筋７で連結する。また、図１に示すように、それぞれの基礎杭５、５間は、所定間隔に配した複数の補助筋８、８…を主筋７に配して結合する。なお、主筋７と補助筋８は、それに使用される鉄筋の種類を区別するものではなく、基礎杭５の貫通孔６に挿通される鉄筋を主筋７と呼び、それ以外の基礎杭５間にて主筋７に結合する鉄筋を補助筋８と呼ぶものであり、いずれも同径であって、コンクリート９の付着をよくするために、リブを有する異形鉄筋を使用するのが好ましい。また、主筋７と補助筋８との結合は、周知の番線１２を使用するとよい。
【００２２】
そして、上記の構成において、枠板４内にコンクリート９を打設する。このとき、枠板４の高さを基準としてコンクリート９を均すことにより、作業が容易となり、枠板の高さが完成後の基礎の高さとなる。
【００２３】
上記のようにコンクリート９を打設したことにより、地盤３に敷設した割栗石２上で基礎杭５と主筋７と補助筋８とが硬化したコンクリート９によって一体化される。
【００２４】
本発明による施工方法について説明すると、図２(a)に示すように、目的形状の周囲に枠板４（図２(b)参照）を設けることができる程度にやや大きめの面積で地盤３を掘削する。ついで、図２(b)に示すように、枠板４内の地盤３に割栗石２を敷設し、図２(c)に示すように、枠板４内の地盤３の複数箇所に基礎杭５を打ち込む。その打ち込み量は、基礎杭５の貫通孔６が地盤３に敷設した割栗石２の上部に位置するようにする必要がある。
【００２５】
次で、図３(a)に示すように、基礎杭５の上部に形成された水平状に交差する貫通孔６、６に主筋７、７を挿通すると共に、それぞれの主筋７に間隔をあけて配された複数の補助筋８を結合する。
【００２６】
次いで、図３(b)に示すように、枠板４内にコンクリート９を打設することにより、地盤３の割栗石２の上部に基礎杭５と主筋７と補助筋８とを一体化する。
【００２７】
さらに、図３（c)に示すように、コンクリート９の硬化後に枠板４を除去することによって内部に鉄筋（主筋７、補助筋８）を有する鉄筋コンクリート製の基礎を構築することができる。
【００２８】
本発明の他の実施例として、図４(a)に示すものは、上記の実施例の基礎１の中央に墓石の基礎支柱１０を立設したものである。このような場合、補助筋８を基礎支柱１０から避けた状態で設けることにより、その他は上記と同様の方法で施工することができる。
【００２９】
また、本発明の他の実施例として、図４(b)に示すものは、単なる四角形状の平面を有する基礎１ではなく、２個の四角形を組み合わせた形状を有し、これに２個の基礎支柱１０を設けたものである。このように、基礎杭５の打設位置を工夫することによって、六角形状等の他の多角形を有する平面形状、或いは円弧形を有する平面形状、さらには円形の平面形状の基礎にも利用することができる。なお、円弧形又は円形の平面形状を有する基礎の場合、枠板を円弧形又は円形にする必要がある。
【産業上の利用可能性】
【００３０】
本発明は、耐震性能に優れ、地盤変動に強い簡易な建造物の基礎及びその施工方法に利用することができ、特に墓石の基礎のように集中荷重がかかるような基礎、さらには住宅等の一般建築の基礎にも適するように、水平力或いは垂直力を十分に確保した基礎であって、短期間で安価且つ簡単に構築するのに利用することができる。
【図面の簡単な説明】
【００３１】
【図１】本発明による建造物の基礎の斜視図である。
【図２】(a)〜(c)は、本発明による建造物の基礎の施工工程を示す断面図である。
【図３】(a)〜(c)は、本発明による建造物の基礎の施工工程を示す断面図である。
【図４】(a)及び(b)は、本発明による他の実施例を示す概略平面図である。
【図５】本発明による建造物の基礎の基礎杭と鉄筋との結合状態を示す部分拡大図である。
【図６】従来技術に関する図であり、特許文献１の部分拡大図である。
【符号の説明】
【００３２】
1…基礎
２…割栗石
３…地盤
４…枠板
５…基礎杭
６…貫通孔
７…主筋
８…補助筋
９…コンクリート
１０…基礎支柱
１２…番線
【要約】
【課題】墓石の基礎のように集中荷重がかかるような基礎、さらには住宅等の一般建築の基礎にも適するように、水平力或いは垂直力に対する耐力を十分に確保した基礎であって、短期間で安価且つ簡単に構築することができる建造物の基礎及びその施工方法を提供する。
【解決手段】割栗石２を敷設した地盤３に間隔をあけて複数の基礎杭５を打設し、それぞれの基礎杭５の上部に水平状に交差する貫通孔６が形成され、該貫通孔６に主筋７を挿通することによって、それぞれの基礎杭５を主筋７で連結すると共に、該主筋７に間隔をあけて配した複数の補助筋８を結合して、前記割栗石２上にて前記基礎杭５と主筋７と補助筋８とを一体化するようにコンクリート９を打設して硬化させる。
【選択図】図１
【図１】
0003680150.tif 000002
【図２】
0003680150.tif 000003
【図３】
0003680150.tif 000004
【図４】
0003680150.tif 000005
【図５】
0003680150.tif 000006
【図６】
0003680150.tif 000007